(57)【要約】      （修正有）【課題】ダンパスプリングに欠陥がある場合に、始動装置がいつでも動作できる状態にあることを可能にする、内燃機関の始動装置。【解決手段】始動装置のプーリ１１は、スタータハンドルによりモータシャフトの駆動トルクを生成する張力手段１３によって回転され、プーリ１１は、スプリングワイヤから形成されるダンパスプリングによって係合部材１５に接続されることにより、駆動トルクがモータシャフトに伝達されて機関を始動させることができ、ダンパスプリング１４がねじられることにより、プーリ１１のねじりを制限すべく、停止要素１６がカウンタ停止要素に当接するまで、係合部材１５に対してプーリ１１がねじられることが可能となり、停止要素１６および／またはカウンタ停止要素は、係合部材１５および／またはプーリ１１の材料より高強度を有する材料から形成される。【選択図】図１
2012132434.tif 000002
【特許請求の範囲】
【請求項１】
内燃機関の始動装置（１００）であって、ハウジング（１０）に回転可能に取り付けられたプーリ（１１）を備え、前記プーリ（１１）は、少なくとも１つのスタータハンドル（１２）によりモータシャフトの駆動トルクを生成する張力手段（１３）によって回転されることができ、
前記プーリ（１１）は、スプリングワイヤから形成されるダンパスプリングによって係合部材（１５）に接続されることにより、前記駆動トルクが前記モータシャフトに伝達されて前記内燃機関を始動させることができ、
前記ダンパスプリング（１４）がねじられることにより、前記プーリ（１１）のねじりを制限すべく、停止要素（１６）がカウンタ停止要素（１７）に当接するまで、前記係合部材（１５）に対して前記プーリ（１１）がねじれることが可能となり、
前記停止要素（１６）および／または前記カウンタ停止要素（１７）は、前記係合部材（１５）および／または前記プーリ（１１）の材料より高強度を有する材料から形成される、
内燃機関の始動装置（１００）。
【請求項２】
前記停止要素（１６）は金属材料、とりわけ、鋼材から作られ、前記係合部材（１５）および／または前記プーリ（１１）は、プラスチック材料から作られる、請求項１に記載の始動装置。
【請求項３】
前記停止要素（１６）は、前記係合部材（１５）上に配置され、前記プーリ（１１）に対向する前記係合部材（１５）の表面から突出し、前記停止要素（１６）は、ピン要素またはボルト要素として構成され、前記プーリ（１１）に対向する前記係合部材（１５）の表面から前記プーリ（１１）の方向に延びる、請求項１または２に記載の始動装置。
【請求項４】
前記停止要素（１６）が案内されるガイド溝（１８）が前記プーリ（１１）に一体形成され、前記カウンタ停止要素（１７）は、前記ガイド溝（１８）と係合する、請求項１〜３のいずれか１項に記載の始動装置。
【請求項５】
前記カウンタ停止要素（１７）は、高強度材料、とりわけ、金属材料で作られた挿入要素として構成され、前記プーリ（１１）に挿入される、請求項１〜４のいずれか１項に記載の始動装置。
【請求項６】
前記ダンパスプリング（１４）の前記スプリングワイヤは、２つの端部（１４ａ、１４ｂ）を有し、第１の端部（１４ａ）は、前記係合部材（１５）と係合し、第２の端部（１４ｂ）は、前記プーリ（１１）と係合し、前記カウンタ停止要素（１７）は、前記ダンパスプリング（１４）の前記スプリングワイヤから形成され、特に、高硬度金属材料を含む、請求項１〜５のいずれか１項に記載の始動装置。
【請求項７】
前記カウンタ停止要素（１７）は、前記プーリ（１１）と係合する前記ダンパスプリング（１４）の前記スプリングワイヤの前記第２の端部（１４ｂ）から形成される、請求項１〜６のいずれか１項に記載の始動装置。
【請求項８】
前記ダンパスプリング（１４）の前記スプリングワイヤの前記第２の端部（１４ｂ）は、曲線形状を有し、前記曲線形状は、前記プーリ（１１）のレセプタクル（２０）内に挿入される第１のセグメント（１９）と、前記プーリ（１１）の前記レセプタクル（２０）から前記係合部材（１５）の方向に突出する第２のセグメント（２１）と、によって形成される、請求項１〜７のいずれか１項に記載の始動装置。
【請求項９】
前記ダンパスプリング（１４）の前記スプリングワイヤの前記第２の端部（１４ｂ）の前記曲線形状は、Ｓ字形状、Ｃ字形状、または、逆Ｕ字形状を有する、請求項１〜８のいずれか１項に記載の始動装置。
【請求項１０】
前記ダンパスプリング（１４）の前記スプリングワイヤの前記第２の端部（１４ｂ）は、一平面内で曲線状に延び、特に、一平面内で前記Ｓ字形状、前記Ｃ字形状、または前記逆Ｕ字形状に延び、前記ダンパスプリング（１４）は、前記第２の端部（１４ｂ）の平面内にある中心軸（２２）を有する、請求項１〜９のいずれか１項に記載の始動装置。
【発明の詳細な説明】
【技術分野】
【０００１】
本発明は、内燃機関の始動装置に関し、ハウジングに回転可能に取り付けられたプーリを備え、プーリは、少なくとも１つのスタータハンドルによりモータシャフトの駆動トルクを生成する張力手段によって回転されることができ、プーリは、スプリングワイヤから形成されるダンパスプリングによって係合手段に接続されることにより、駆動トルクがモータシャフトに伝達されて内燃機関を始動させることができ、ダンパスプリングがねじられることにより、プーリのねじりを制限すべく、停止要素がカウンタ停止要素に当接するまで、係合要素に対してプーリがねじれることが可能となり、停止要素および／またはカウンタ停止要素は、係合部材および／またはプーリの材料より高強度を有する材料から形成される。
【背景技術】
【０００２】
独国実用新案第２０３  ０１  １８２号明細書は、内燃機関用の汎用始動装置を開示しており、スタータハンドルは、プーリ上を回転する張力手段に接続される。ユーザがスタータハンドルを引いた場合、プーリは、張力手段によって回転させられ、その回転はダンパスプリングによって係合部材に伝達される。これは、内燃機関を始動させるためのモータシャフトへ駆動トルクが伝達され得ることを意味する。
【０００３】
ユーザがスタータハンドルを引いた場合、それによってプーリが回転し、プーリの回転角度は、係合部材の回転角度とすでに異なっていてもよい。トルクを加えることによってモータシャフトを回転させて内燃機関が始動された場合、内燃機関の往復ピストンの原理によって、モータシャフトの回転中に不均一なトルクプロファイルが得られる。圧縮段階では、シリンダ内に案内されたピストンは、トルクを増大させ、結果として、駆動トルクに反して動作する。他方、減圧段階では、モータシャフトの回転運動が支持され、モータシャフトが回転を開始したときに、対応する力のピークを有する周期的な力のプロファイルが得られる。これは、モータシャフトに加えられるトルクが激しい変動の影響を受ける、ということを意味する。この激しい変動は、プーリに伝達されるので、その結果スタータハンドルにも伝達される可能性のあるものである。内燃機関の始動時に、モータシャフトに接続された係合部材からの力のピークがプーリに伝わることを避けるかまたは少なくとも減らすべく、係合部材を、少なくとも所定の角度範囲内でプーリに対してねじることを可能にするよう、プーリと係合部材との間のねじりを可能にするダンパスプリングが提供される。結果として、力のピークは、減少した範囲でのみプーリに伝達される。
【０００４】
プーリに対する係合部材のねじりを制限し、その結果、過大応力によってダンパスプリングが損傷することを防ぐべく、停止要素が提供される。この停止要素は、カウンタ停止要素に当接することができ、それにより係合部材のプーリに対するねじりの最大角度が制限され、ダンパスプリングの最大ねじりもまた制限される。
【０００５】
ダンパスプリングの破損の際だけではなく、ダンパスプリングに弾性的応力を過度に与えた場合、カウンタ停止要素への停止要素の当接には、内燃機関の力のピークによる相当の力が作用する。これは、停止要素またはカウンタ停止要素が機械的に機能しないこと、特に、停止要素またはカウンタ停止要素の破損が起こりうることを示している。
【０００６】
停止要素の耐荷重を増すべく、互いに正反対に配置された２つの停止要素を係合部材上に設けてよい。結果として、２つの停止要素は、例えば、ダンパスプリングが破損した場合、プーリから係合部材へのトルクの伝達のための最大耐荷重を実現すべく、それぞれのカウンタ停止要素に当接することができるようになる。しかしながら、停止要素は互いに対して最大１８０度オフセットにされるので、ねじりの最大角度は半分になる。
【０００７】
ダンパスプリングの破損が起こった場合、ダンパスプリングが破損したにもかかわらず、少なくとも一時的に始動装置をさらに操作できることが望ましい。ダンパスプリングが不良の場合のこのような始動装置の緊急操作は、トルクを、プーリから停止要素およびカウンタ停止要素を直接介して係合部材へ伝達することによって起き得る。停止要素がカウンタ停止要素に当接するようになる場合、トルクは、このようにして、内燃機関からの力のピークを抑制することなく、プーリから係合部材へ伝達されることができる。しかしながら、欠陥のあるダンパスプリングを用いて内燃機関が始動された場合、力のピークは、停止要素および／またはカウンタ停止要素の機械的な破損の原因となり得、これは避けることが望ましい。
【先行技術文献】
【特許文献】
【０００８】
【特許文献１】独国実用新案第２０３  ０１  １８２号明細書
【発明の概要】
【発明が解決しようとする課題】
【０００９】
すなわち、本発明の目的は、特に、ダンパスプリングに欠陥がある場合に、始動装置がいつでも動作できる状態にあることを可能にする、内燃機関の始動装置を提供することである。
【課題を解決するための手段】
【００１０】
この目的は、特徴となる機能と共に請求項１のプリアンブルに記載された始動装置によって達成される。本発明のさらなる有利な実施形態は、従属請求項で特定される。
【００１１】
本発明は、停止要素および／またはカウンタ停止要素が、係合部材の材料および／またはプーリの材料よりも高い強度を有する材料で形成されるという技術的教示を含む。
【００１２】
本発明は、停止要素および／またはカウンタ停止要素を係合部材の材料および／またはプーリの材料とは異なった材料で形成するという思想に基づく。係合部材および／またはプーリを、プラスチック材料、とりわけ、射出成形プロセスで作ることは特に有益である。プラスチック材料は、加工されることにより強度が低くなる。その結果、ダンパスプリングに欠陥がある場合に、内燃機関を始動する時の力のピークが係合部材からプーリに直接伝達されると、停止要素および／またはカウンタ停止要素が機械的に破損するという上述したような問題が発生し得る。本発明における材料の選択において、係合部材および／またはプーリは、製造技術の観点からも、プラスチック材料で作られるのが好ましいが、停止要素および／またはカウンタ停止要素は、異なる材料から形成されてよく、とりわけ、力のピークが発生しても、停止要素および／またはカウンタ停止要素がいかなる損傷も受けないように、高強度材料から形成されてよい。
【００１３】
有利な実施形態によれば、停止要素は金属材料、とりわけ鋼材から形成されることができ、係合部材および／またはプーリは、プラスチック材料から形成されることができる。同様に、カウンタ停止要素は、高強度材料、とりわけ、金属材料で作られた挿入要素として設計されることができ、プーリに挿入されることができる。好ましくは、係合部材の停止要素、および、プーリのカウンタ停止要素は、どちらもプラスチック射出成形プロセスでオーバーモールドされる。この場合、停止要素および／またはカウンタ停止要素は、プラスチック材料が注入されたときはすでに射出成形金型に挿入されている。
【００１４】
１つの可能な実施形態によれば、停止要素は、係合部材に配置されることができ、プーリに対向する係合部材の表面から突出することができる。特に、停止要素は、ピン要素またはボルト要素として設計されることができ、プーリに対向する係合部材の表面から、プーリに向かって延びることができる。停止要素が案内されるガイド溝は、プーリと一体形成されることができ、カウンタ停止要素は、ガイド溝と係合する。係合部材のプーリに対する最大ねじりは、停止要素がカウンタ停止要素に衝突することによって制限することができる。あるいは、プーリ内に停止要素を同様の方法で設けてもよく、ガイド溝を係合部材と一体形成してもよい。
【００１５】
有利には、ダンパスプリングのスプリングワイヤは、２つの端部を有してよく、第１の端部は、係合部材に係合されることができ、第２の端部は、プーリに係合されることができる。カウンタ停止要素は、特に高硬度金属材料からなるダンパスプリングのスプリングワイヤから形成される。本発明によると、ダンパスプリングは、一方では、プーリと係合部材の間のダンピング機能を果たし、他方では、カウンタ停止要素を形成することにより、プーリに対する係合部材のねじりを制限すべく、停止要素に当接してよい。
【００１６】
特に、カウンタ停止要素は、プーリと係合したダンパスプリングのスプリングワイヤの第２の端部から形成されることができる。ダンパスプリングのスプリングワイヤの第２の端部は、曲線形状を有することができ、当該曲線形状は、プーリのレセプタクル内に挿入される第１のセグメントと、プーリのレセプタクルから係合部材の方向に突出する第２のセグメントと、によって形成される。一方で、プーリのレセプタクルに挿入された第２の端部の一部によって、ダンパスプリングをプーリ内に固定する。その結果、プーリからのトルクがダンパスプリングに適用されるようになる。さらに、レセプタクルに挿入された第２の端部の第１のセグメントが第２の端部を固定させ、レセプタクルから突出する第２のセグメントがプーリと強固に接続されてカウンタ停止要素が形成される。
【００１７】
ダンパスプリングのスプリングワイヤの第２の端部の曲線形状は、Ｓ字形状、Ｃ字形状、または、逆Ｕ字形状を有することができる。また、ダンパスプリングのスプリングワイヤの第２の端部は、一平面内で曲線状に延びることができ、特に、一平面内でＳ字形状、Ｃ字形状、または逆Ｕ字形状に延びることができ、ダンパスプリングは、第２の端部の平面内にある中心軸を有する。したがって、平面は、中心軸および中心軸に直交する軸によって定義され、スプリングワイヤの第２の端部は、ダンパスプリングの本体から略垂直に延びる。スプリングワイヤの第２の端部は、任意の曲線形状であってよく、Ｓ字形状、Ｃ字形状、または逆Ｕ字形状を有してもよい。それぞれの形状は、一方ではプーリのレセプタクルに挿入される第１のセグメントを形成する目的で、他方では停止要素のカウンタ停止要素として機能する第２のセグメントを形成する目的で、それぞれ実施可能である有利な実施形態を成す。逆Ｕ字形状は、「Ｕ」として記載されているが、「Ｕ」の開口側は、レセプタクルに挿入される。その結果、スプリングワイヤの一方のループのみが、第２のセグメントとしてレセプタクルから突出し、剛性で耐荷重性のカウンタ停止要素が形成される。
【００１８】
係合部材の材料および／またはプーリの材料よりも高い強度を有する材料から停止要素および／またはカウンタ停止要素を形成する。停止要素および／またはカウンタ停止要素は、例えば、金属材料などの高強度材料で強化されることができる。例えば、停止要素および／またはカウンタ停止要素は、１つのピースとして形成されることができ、また、係合部材の材料および／またはプーリの材料と同じ材料を用いて形成することができる。停止要素および／またはカウンタ停止要素は、例えば、金属コアまたは金属アタッチメントなどの高強度材料によって強化される。
【００１９】
以下に、本発明の好ましい例示的な実施形態による、課題を解決するためのさらなる手段が図面を参照しながら詳細に説明される。
【図面の簡単な説明】
【００２０】
【図１】本発明の特徴を有する始動装置の例示的な一実施形態を示す切欠き図である。
【図２】カウンタ停止要素を有するプーリの図である。
【図３】停止要素が組み込まれた側面図である。
【図４】他の例示的な実施形態による始動装置の斜視図である。
【図５】図４の例示的な実施形態による、始動装置の斜視図である。
【図６】図４および図５の例示的な実施形態による、始動装置の例示的な一実施形態の横断側面図である。
【図７ａ】第１の例示的な実施形態によるダンパスプリングの斜視図である。
【図７ｂ】第２の例示的な実施形態によるダンパスプリングの斜視図である。
【図７ｃ】第３の例示的な実施形態によるダンパスプリングの斜視図である。
【発明を実施するための形態】
【００２１】
図１は、ハウジング１０に回転可能に取り付けられたプーリ１１を有する内燃機関の始動装置１００の例示的な一実施形態を示す。ケーブルである張力手段１３は、プーリ１１に巻きつけられている。プーリは、ハウジング１０に回転可能に取り付けられ、張力手段１３の一端部が手動で引かれると、プーリ１１は、回転運動する。プーリ１１は、ダンパスプリング１４が示されている中心軸２２の周りを回転可能に取り付けられ、このスプリングは、プーリ１１側を向いた端部と、詳細は示さない方法で当該プーリに強固に接続されている。ダンパスプリング１４のプーリ１１とは反対の側には、係合部材１５が配置され、係合部材１５側を向いたダンパスプリング１４の端部は、トルク耐性のある方法で係合部材１５と接続されている。結果として、ダンパスプリング１４は、プーリ１１と係合部材１５とをねじり弾性的に接続するねじり要素を形成する。ダンパスプリング１４のねじり弾性のために、プーリ１１と係合部材１５との間に相対運動が起こり得る。
【００２２】
張力手段１３を引くことによってプーリが回転運動すると、ダンパスプリング１４もまた、中心軸２２の周りを同時に回転する。これにより、係合部材１５が回転運動するようになる。係合部材１５は、詳細には図示しない戻り止め要素の係止外周１５ａを介して係合することができ、これにより、内燃機関のモータシャフトが回転できることを意味する。プーリ１１、ダンパスプリング１４、および、係合部材１５は、中心ねじ２３を通して、ハウジング１０の一部として形成される軸受マンドレル２５に回転可能に収容される。リターンスプリング２４は、張力手段１３が再び解放されたときに、プーリ１１を回転させて回転方向と反対側に戻すのに役立つ。張力手段１３を引くときに、プーリ１１は、モータシャフトの回転方向に回転され、プーリに巻き付けられていた張力手段１３が解かれる。プーリ１１を再度反対方向に回転させるためにリターンスプリング２４を用いることにより、張力手段１３を再び巻きつけることができる。
【００２３】
停止要素１６は、係合部材１５に挿入される。この停止要素１６は、例えばボルト要素として設計され、係合部材１５と一体化した孔内に配置される。ボルト状の停止要素１６は、鋼材から作られ、プーリ１１側の係合部材１５の表面からわずかに突出する。停止要素１６の位置に対応するようにガイド溝１８がプーリ１１に設けられ、プーリ１１と同時にダンパスプリング１４がねじられると係合部材１５の相対的回転が生ずる。停止要素１６は、詳細には図示しないカウンタ停止要素に当接するまでガイド溝１８内を移動する。
【００２４】
図２は、係合部材１５側を向いたプーリ１１の図である。図示されたプーリ１１の表面にはガイド溝１８が示されており、このガイド溝１８の中にカウンタ停止要素１７が組み込まれている。カウンタ停止要素１７は、例えば、金属挿入要素として示され、プーリ１１は、プラスチック材料から作られているので、本発明によるカウンタ停止要素１７は、プーリ１１よりも高強度材料から作られていることになる。
【００２５】
図３は、係合部材１５の側面図である。図中、ボルト要素として設計され、鋼材からなる停止要素１６が挿入されている。他方、係合部材１５は、プラスチック材料から作られているので、本発明による停止要素１６は、係合部材１５よりも高強度材料から作られていることになる。
【００２６】
図４は、プーリ１１を回転可能に収容するハウジング１０を有する、始動装置１００の他の例示的な実施形態を示す。図中、ダンパスプリング１４も示されている。プーリ１１、および、ダンパスプリング１４の配置を示すために係合部材１５は省略されている。中心ねじ２３は、プーリ１１およびダンパスプリング１４の回転軸を示す。張力手段１３の端部に配置されているスタータハンドル１２も示される。スタータハンドル１２を介して張力手段１３に張力が手動で与えられた場合、プーリ１１は、中心ねじ２３の周りを回転する。
【００２７】
ダンパスプリング１４は、第１の端部１４ａを有し、これは、ダンパスプリング１４が、詳細には示さない係合部材１５と接続されていることを意味する。ダンパスプリング１４は、プーリ１１に固定された第２の端部１４ｂをさらに備える。
【００２８】
ダンパスプリング１４の第２の端部１４ｂをプーリ１１に固定するためにレセプタクル２０を要し、このレセプタクル２０の第１のセグメントに、ダンパスプリング１４の第２の端部１４ｂが挿入される。ダンパスプリング１４の第２の端部１４ｂの第２のセグメント２１は、レセプタクル２０から突出し、カウンタ停止要素１７を形成する。係合部材１５に対するプーリ１１のねじりの角度が最大になるとき、係合部材１５の停止要素１６がカウンタ停止要素１７に当接する。ダンパスプリング１４の第２の端部１４ｂの第２のセグメント２１は、レセプタクル２０からループ状に突出する。ダンパスプリング１４は、高強度材料から作られ、ダンパスプリング１４の材料は、好ましくはプラスチックで作られるプーリ１１の材料よりも硬い材料である。
【００２９】
図５は、係合部材１５の断面図である。係合部材１５は、停止要素１６を形成する第１の停止表面を有し、この停止要素１６の第１の停止表面に、プーリ１１のレセプタクル２０から突出するダンパスプリング１４の第２の端部１４ｂの第２のセグメント２１が当接する。スタータハンドル１２を介して張力が張力手段１３に導入された場合であって、プーリ１１が中心軸２２の周りを時計回りに回転する場合、プーリ１１は係合部材１５に対してねじられ、その結果、ダンパスプリング１４の第２の端部１４ｂの第２のセグメント２１によって形成されるカウンタ停止要素１７は、停止要素１６の第２の停止表面に当接する。これにより、プーリ１１は、係合部材１５に対して２７０度までねじれる。
【００３０】
図６は、図４および図５の例示的な実施形態による、始動装置の横断側面図である。ハウジングが断面図で示され、プーリ１１、張力手段１３、ダンパスプリング１４、および、係合部材１５は、ハウジング１０の軸受マンドレル２５の中心ねじ２３によって、中心軸２２の周りを回転可能に固定される。ダンパスプリング１４の横断面図では、ダンパスプリング１４の第１の端部１４ａおよび第２の端部１４ｂが識別できる。第１の端部１４ａは、係合部材１５に強固に接続される。第２の端部１４ｂは、Ｓ字形状を有し、第２のセグメント２１は、カウンタ停止要素１７を形成するようプーリ１１から突出する。係合部材１５の停止要素１６は、係合部材１５がプーリ１１に対する最大ねじり角度に到達したときにカウンタ停止要素１７に当接することができる。
【００３１】
図７ａ、図７ｂおよび図７ｃは、それぞれ、中心軸２２の周囲に延びるダンパスプリング１４の例示的な実施形態を示す。ダンパスプリング１４は、らせん状のばねとして設計され、円錐形である。ダンパスプリング１４の円錐形の、径が小さいほうの端部は、係合部材１５に接続された第１の端部１４ａを成す。第２の端部１４ｂは、円錐形の径が大きい方の端部を成し、ダンパスプリング１４から離れた平面に延びる。この平面は、中心軸２２およびダンパスプリング１４の第２の端部１４ｂの延伸方向２６によって定義される。
【００３２】
図７ａは、逆Ｕ字形に構成された第２の端部１４ｂを有するダンパスプリング１４を示す。延伸方向２６は、カーブしている第２の端部１４ｂの第１のセグメント１９と第２のセグメント２１とを区切る高さで示される。第１のセグメント１９は、プーリ１１内のレセプタクル２０への挿入に用いられ、第２のセグメント２１は、カウンタ停止要素１７を形成すべく、プーリ１１のレセプタクル２０から突出する。
【００３３】
図７ｂは、第２の端部１４ｂのＳ字形状を示す。延伸方向２６は、Ｓ字形状の半分の高さで示されている。結果として、Ｓ字形状の低いほうの第１のセグメント１９は、レセプタクル２０に挿入されることができ、高いほうの第２のセグメント２１は、レセプタクル２０から突出する。
【００３４】
図７ｃは、ダンパスプリング１４の第２の端部１４ｂのＣ字形状を示し、低いほうの第１のセグメント１９は、レセプタクル２０に挿入されることができ、一方で、高いほうの第２のセグメント２１は、カウンタ停止要素１７を形成すべく、プーリ１１のレセプタクル２０から突出する。
【００３５】
本発明は、その実施において、上記に特定された好ましい例示的な実施形態に制限されない。それどころか、基本的に異なる実施形態に示される解決手段を用いる多数の変形例が実行可能である。請求の範囲、明細書、図面から導かれる特徴または有利な点は、構造的な詳細または空間的な配置も含む。それらは、それぞれ、および、それらも組み合わせも本発明にとって不可欠なものであり得る。
【符号の説明】
【００３６】
１００ モータ駆動装置
１０   ハウジング
１１   プーリ
１２   スタータハンドル
１３   張力手段
１４   ダンパスプリング
１４ａ 第１の端部
１４ｂ 第２の端部
１５   係合部材
１５ａ 係止外周
１６   停止要素
１７   カウンタ停止要素
１８   ガイド溝
１９   曲線形状の第１の部分
２０   レセプタクル
２１   曲線形状の第２の部分
２２   中心軸
２３   中心ねじ
２４   リターンスプリング
２５   軸受マンドレル
２６   延伸方向
【図１】
2012132434.tif 000003
【図２】
2012132434.tif 000004
【図３】
2012132434.tif 000005
【図４】
2012132434.tif 000006
【図５】
2012132434.tif 000007
【図６】
2012132434.tif 000008
【図７ａ】
2012132434.tif 000009
【図７ｂ】
2012132434.tif 000010
【図７ｃ】
2012132434.tif 000011
【外国語明細書】
2012132434000001.pdf
2012132434000002.pdf
2012132434000003.pdf
2012132434000004.pdf